(57)【要約】【課題】電源ＯＮ時の画面から、ユーザの見たいコンテンツ情報の一覧を、放送番組、録画番組、Ｗｅｂコンテンツの区分けなく表示することができる情報処理装置を提供する。【解決手段】ユーザの操作に応じてコンテンツ情報の表示手段への表示を含む処理を実行可能な情報処理装置であって、少なくとも第１の経路または第２の経路から所定の属性を有するコンテンツを取得可能なコンテンツ取得手段と、コンテンツ取得手段により取得される複数のコンテンツから、コンテンツの属性に対するユーザの興味度に応じてコンテンツを選択するコンテンツ選択手段と、コンテンツ選択手段により選択されたコンテンツの一覧を、第１の経路から取得されたコンテンツと第２の経路から取得されたコンテンツとが同一画面に配置されるように、表示装置に表示するコンテンツ一覧表示手段と、を備える。【選択図】図１
2016086342.tif 000002
【特許請求の範囲】
【請求項１】
ユーザの操作に応じてコンテンツ情報の表示手段への表示を含む処理を実行可能な情報処理装置であって、
少なくとも第１の経路または第２の経路から所定の属性を有するコンテンツを取得可能なコンテンツ取得手段と、
前記コンテンツ取得手段により取得される複数のコンテンツから、該コンテンツの属性に対するユーザの興味度に応じてコンテンツを選択するコンテンツ選択手段と、
前記コンテンツ選択手段により選択された前記コンテンツの一覧を、前記第１の経路から取得されたコンテンツと前記第２の経路から取得されたコンテンツとが同一画面に配置されるように、表示装置に表示するコンテンツ一覧表示手段と、
を備えることを特徴とする情報処理装置。
【請求項２】
前記第１の経路からのコンテンツの取得はコンテンツを蓄積するコンテンツ蓄積手段からの取得であり、
前記第２の経路からのコンテンツの取得はコンテンツを受信するコンテンツ受信手段からの取得であること特徴とする請求項１記載の情報処理装置。
【請求項３】
前記コンテンツ受信手段は、放送波からコンテンツを取得する放送受信部とネットワークからコンテンツを取得する通信部とを有することを特徴とする請求項２記載の情報処理装置。
【請求項４】
前記表示手段に対面するユーザを特定するユーザ特定手段と、
少なくとも前記操作により処理される前記コンテンツ情報の属性を前記特定されたユーザの嗜好情報として蓄積する嗜好蓄積手段と、
少なくとも前記操作に応じた処理の内容と該処理の実行時刻とを前記特定されたユーザの習慣情報として蓄積する習慣蓄積手段と、
前記嗜好情報に基づいて選択された前記コンテンツ情報について、前記習慣情報に基づいて所定の時刻に所定の処理を実行することを推薦するコンテンツ推薦手段と、を備えることを特徴とする請求項１〜３のいずれか１項に記載の情報処理装置。
【請求項５】
ユーザの操作に応じてコンテンツ情報の表示手段への表示を含む処理を実行可能な情報処理方法であって、
少なくとも第１の経路または第２の経路から所定の属性を有するコンテンツを取得可能なステップと、
取得される複数の前記コンテンツから、該コンテンツの属性に対するユーザの興味度に応じてコンテンツを選択するステップと、
選択された前記コンテンツの一覧を、前記第１の経路から取得されたコンテンツと前記第２の経路から取得されたコンテンツとが同一画面に配置されるように、表示装置に表示するステップと、
を有することを特徴とする情報処理方法。
【請求項６】
ユーザの操作に応じてコンテンツ情報の表示手段への表示を含む処理を実行可能なプログラムであって、
少なくとも第１の経路または第２の経路から所定の属性を有するコンテンツを取得可能な手順と、
取得される複数の前記コンテンツから、該コンテンツの属性に対するユーザの興味度に応じてコンテンツを選択する手順と、
選択された前記コンテンツの一覧を、前記第１の経路から取得されたコンテンツと前記第２の経路から取得されたコンテンツとが同一画面に配置されるように、表示装置に表示する手順と、
をコンピュータに実行させるためのプログラム。
【発明の詳細な説明】
【技術分野】
【０００１】
本発明は、番組やＷｅｂサイトを受信したり、録画する情報処理装置、情報処理方法およびプログラムに関する。
【背景技術】
【０００２】
近年、ＴＶでもＷｅｂサイトを見る機能を備えたものがある。こうしたＴＶでは、一般にＴＶ番組、Ｗｅｂサイトで配信される動画など、コンテンツ情報の種類毎にコンテンツ情報の一覧が表示される。このため、ユーザは、電源ＯＮ時の画面から、まず、ＴＶ番組、Ｗｅｂ動画といったコンテンツ情報の種類を選択し、その種類についてのコンテンツ情報一覧画面から、見たいコンテンツを選択する。
【０００３】
特許文献１には、操作履歴情報格納部、嗜好データベース作成部、嗜好データベース格納部を備え、この操作履歴情報、嗜好データベースに基づいて、案内コンテンツ判定部が案内コンテンツのユーザへの提示順序を決定することが開示されている。この提示順序でＷｅｂ配信コンテンツとＴＶ番組を一覧表示する画面例が記載されている。
【０００４】
また、特許文献２には、外部のコンテンツ情報配信サーバで、端末装置のユーザについて評価値の高い所定数のカテゴリを特定し、そのカテゴリに含まれるコンテンツの概要情報を一覧としたコンテンツ一覧を作成し、端末装置に表示させることが開示されている。
【先行技術文献】
【特許文献】
【０００５】
【特許文献１】特開２００８−１２５０２２号公報
【特許文献２】特開２０１０−２６２５３４号公報
【発明の概要】
【発明が解決しようとする課題】
【０００６】
しかし、特許文献１に開示されている技術では、ジャンル別にコンテンツの一覧を表示することができるが、ユーザの興味があるコンテンツの関連情報を同一画面に表示することができないという問題があった。
【０００７】
また、特許文献２に開示されている技術では、カテゴリ毎に同一のカテゴリに分類して表示できるが、ユーザの興味があるコンテンツの関連情報を同一画面に表示することができないという問題があった。
【０００８】
本発明は、前記課題を解決するためのものであり、その目的とするところは、電源ＯＮ時の画面から、ユーザの見たいコンテンツ情報の一覧を、放送番組、録画番組、Ｗｅｂコンテンツの区分けなく表示することができる情報処理装置を提供することにある。
【課題を解決するための手段】
【０００９】
かかる目的を達成するために、本発明は、以下の特徴を有する。
【００１０】
本発明に係る情報処理装置は、ユーザの操作に応じてコンテンツ情報の表示手段への表示を含む処理を実行可能な情報処理装置であって、少なくとも第１の経路または第２の経路から所定の属性を有するコンテンツを取得可能なコンテンツ取得手段と、前記コンテンツ取得手段により取得される複数のコンテンツから、該コンテンツの属性に対するユーザの興味度に応じてコンテンツを選択するコンテンツ選択手段と、前記コンテンツ選択手段により選択された前記コンテンツの一覧を、前記第１の経路から取得されたコンテンツと前記第２の経路から取得されたコンテンツとが同一画面に配置されるように、表示装置に表示するコンテンツ一覧表示手段と、を備えることを特徴とする。
【００１１】
また、本発明に係る情報処理方法は、ユーザの操作に応じてコンテンツ情報の表示手段への表示を含む処理を実行可能な情報処理方法であって、少なくとも第１の経路または第２の経路から所定の属性を有するコンテンツを取得可能なステップと、取得される複数の前記コンテンツから、該コンテンツの属性に対するユーザの興味度に応じてコンテンツを選択するステップと、選択された前記コンテンツの一覧を、前記第１の経路から取得されたコンテンツと前記第２の経路から取得されたコンテンツとが同一画面に配置されるように、表示装置に表示するステップと、を有することを特徴とする。
【００１２】
また、本発明に係るプログラムは、ユーザの操作に応じてコンテンツ情報の表示手段への表示を含む処理を実行可能なプログラムであって、少なくとも第１の経路または第２の経路から所定の属性を有するコンテンツを取得可能な手順と、取得される複数の前記コンテンツから、該コンテンツの属性に対するユーザの興味度に応じてコンテンツを選択する手順と、選択された前記コンテンツの一覧を、前記第１の経路から取得されたコンテンツと前記第２の経路から取得されたコンテンツとが同一画面に配置されるように、表示装置に表示する手順と、をコンピュータに実行させる。
【発明の効果】
【００１３】
本発明によれば、電源ＯＮ時の画面から、ユーザの見たいコンテンツ情報の一覧を、放送番組、録画番組、Ｗｅｂコンテンツの区分けなく表示することができる。
【図面の簡単な説明】
【００１４】
【図１】本発明の一実施形態に係るハードウエア構成を示すブロック図である。
【図２】情報処理装置に用いられるソフトウエアの構成図の一例である。
【図３】情報処理装置の動作を示すフローチャートの一例である。
【図４】情報処理装置に表示される画面及びリモコンの一例である。
【図５】温度センサの距離に応じたデータ測定結果を示す図である。
【図６】情報処理装置におけるパーソナルチャンネルの整列前の概念図である。
【図７】パーソナルチャンネルのサイドメニューに関連するマイチャンネル番組表の一例である。
【図８】図７に示した番組ガイドの拡大図である。
【図９】パーソナルチャンネルにおける画面遷移を示す図である。
【図１０】パーソナルチャンネルの拡大図である。
【発明を実施するための形態】
【００１５】
以下、本実施形態について図面により詳細に説明する。
【００１６】
本情報処理装置は、例えばテレビジョン受像器の電源を投入した時のＴＰＯに応じて、ユーザが見たい情報に関連するチャンネルをまとめて表示するものである。図１は、本発明の一実施形態に係るハードウエア構成を示すブロック図である。
【００１７】
同図に示す情報処理装置１００（例えば、テレビジョン受像器）は、受信部（チューナ）１１、ストリーム分離部（ＤＥＭＵＸ：demultiplexer：デマルチプレクサ）１２、映像デコード部１３、表示処理部（スケーラ）１４、表示部（モニタ）１５、パーソナルＤＢ（database）１６、サービス１７、ＧＰＳ（Global Positioning System：汎地球測位システム）１８、受信制御部１９、センサ２０、リモコン受信部２１、入力手段２２、カメラ２３、及びネットワーク接続部２４を有する。
【００１８】
受信部１１は、地上デジタル放送、ＢＳ（broadcasting satellite：放送衛星）放送、もしくはＣＳ（communication satellite：通信衛星）放送を受信し、受信したストリームをストリーム分離部１２に入力するチューナとして機能する回路である。受信部１１は、受信制御部１９の制御により受信するチャンネルを変更する機能を有する。
【００１９】
ストリーム分離部１２は、映像、音声、データ等の多重化されたストリームを分離するＤＥＭＵＸ処理を行う。ストリーム分離部１２は、分離されたストリームのうち映像に関するストリームを映像デコード部１３に入力する。その他のストリームについては本発明とは直接関係がないので説明を割愛する。
【００２０】
映像デコード部１３は、入力された映像に関するストリームをデコードして映像データとして後段の処理ブロックに入力する。ストリームについては限定しないが、例えば、ＭＰＥＧ(Moving Picture Experts Group)、Ｈ．２６４等の規格のものが挙げられる。
【００２１】
表示処理部１４は、表示部１５にストリーム画像やサイドメニューの表示可能な範囲や大きさを制御する。
表示部１５は、例えば、ＨＤＴＶ（high-definition television：高品位テレビ）を表示することのできるモニタであり、例えば液晶表示装置が挙げられる。
【００２２】
受信制御部１９は、受信部１１、表示処理部１４、パーソナルＤＢ１６、サービス１７、ＧＰＳ１８、センサ２０、リモコン受信部２１、入力手段２２、及びカメラ２３からのデータに基づいて各種処理を行う機能を有する回路であり、例えばマイクロプロセッサが挙げられる。受信制御部１９は、抽出手段１９ａ、絞り込み手段１９ｂ、収集手段１９ｃ、画像処理手段１９ｄ、検索手段１９ｅ、分析手段１９ｆ、ユーザ識別手段１９ｇ、コンテンツ一覧表示手段１９ｈ、キーワード抽出手段１９ｉ、及びコンテンツ蓄積手段１９ｊを有する。
【００２３】
受信制御部１９は、入力手段２２もしくは図には示されないリモコンから入力された電源オンオフ、番組切り替えの指示、音量調節等の指示に基づき電源オンオフ、チャンネル切り替え等の制御をする機能を有する。
【００２４】
抽出手段１９ａは、パーソナルＤＢ１６に蓄積したデータからキーワードを抽出する機能を有する。
絞り込み手段１９ｂは、キーワードを頻度でランキングすることで嗜好情報を絞り込む機能を有する。
【００２５】
収集手段１９ｃは、絞り込んだ嗜好情報に関する情報を収集する機能を有する。
画像処理手段１９ｄは、ユーザの過去のライフログをビジュアル表示、検索するための第一のサイドメニュー、ショッピングサイトと連携してユーザの嗜好に応じた商品をネットショッピングするための第二のサイドメニュー、及びユーザの嗜好に応じて蓄積したコンテンツ毎にまとめたチャンネル用の第三のサイドメニューを、コンテンツを表示するメイン画面と共に表示部１５に表示させる機能を有する。
これらのサイドメニューの選択は、ユーザによるリモコンの操作で行われる。
【００２６】
検索手段１９ｅは、ユーザの嗜好情報に基づいてネットワーク接続部２４により接続されたネットワークのサイトからユーザの嗜好情報に関連するデータを検索する機能を有する。
分析手段１９ｆは、抽出したキーワードのジャンル、頻度等を分析する機能を有する。
【００２７】
ユーザ識別手段１９ｇは、表示手段としての表示部１５に対面するユーザを識別する機能を有する。すなわち、ユーザ識別手段１９ｇは、カメラ２３で表示部１５の前面を常時撮影し、視聴している人物の数が単数の場合はその人物がユーザであると特定し、視聴している人物が複数の場合はリモコン４０を所持している人物をユーザであると認識する。
【００２８】
コンテンツ一覧表示手段１９ｈは、ユーザが第１の操作を行うと、識別されたユーザに紐付けられたキーワードに関連するものとして蓄積されたコンテンツをキーワードごとに表示部１５に一覧表示させる機能を有する。
ここで、第１の操作とは、例えば、リモコン４０でサイドメニュー１０２ａ〜１０２ｃの何れかを選択することが挙げられる。
【００２９】
コンテンツ一覧表示手段１９ｈは、表示画面の表示領域のうち一の領域に識別されたユーザに紐付けられたキーワードを一覧表示するとともに、表示画面の表示領域のうち少なくとも他の領域に一覧表示されたキーワードのうちユーザに選択されたキーワードに関連するものとして蓄積されたコンテンツを一覧表示するようにしてもよい。
ここで、「少なくとも」はキーワード表示欄がコンテンツ一覧表示欄にオーバレイ表示されるケースを含めることを意味する。
【００３０】
コンテンツ一覧表示手段１９ｈは、ユーザが一覧表示されたコンテンツの一を指定する第２の操作を行うと、指定されたコンテンツを表示部１５に表示させる機能を有する。
キーワード抽出手段１９ｉは、識別されたユーザの操作履歴に基づいてキーワードを抽出しユーザに紐付けて記憶する機能を有する。
コンテンツ蓄積手段１９ｊは、ユーザに紐付けられたキーワードに関連するコンテンツを蓄積する機能を有する。
【００３１】
これら抽出手段１９ａ、絞り込み手段１９ｂ、収集手段１９ｃ、画像処理手段１９ｄ、検索手段１９ｅ、分析手段１９ｆ、ユーザ識別手段１９ｇ、コンテンツ一覧表示手段１９ｈ、キーワード抽出手段１９ｉ、及びコンテンツ蓄積手段１９ｊは、ソフトウエアで構成される。
【００３２】
受信制御部１９にて行われるコンテンツの分類は、取得したコンテンツデータの一部を表示するサムネイルを生成し、嗜好情報の各々に付与された属性毎にまとめ、同一属性を有する情報に対する処理の基礎となった指示の履歴に基づいて、ユーザにとって優先度が高いか否かの嗜好分析で判断する。
【００３３】
また、優先度が高いとは、ユーザの視聴する番組のジャンル、出演者、もしくは団体毎に視聴回数、及び視聴時間を測定し、視聴回数、及び視聴時間の多い番組を興味度が高いとする。
【００３４】
嗜好分析は、テレビ放送コンテンツ(ＥＰＧ)、ショッピング情報、ニュースのタイトルと記事、ブックマークしたＷｅｂ情報、ＳＮＳの文面、メールのタイトルと文面、スケジューラのテキスト、検索キーワード等、ユーザがＰＣを利用した際に取得できるあらゆる履歴情報を分析対象とする。
【００３５】
例えば、テレビ番組のＥＰＧ情報にある番組のタイトル、ジャンル、出演者、脚本家、音楽、キーワードから、傾向性（ｘｘ傾向）、習慣性（いつもｘｘを観ている）、興味度（ｘｘが好き）等を嗜好アルゴリズム（習慣性キーワード・行動パターン・時間帯・記憶等の興味度補正）によって順位付けを行う。
【００３６】
蓄積手段としてのパーソナルＤＢ１６は、ユーザ毎にファイルに分けて嗜好情報を記憶し、ユーザの操作により処理されるコンテンツ情報の属性を嗜好情報として蓄積する。コンテンツ情報の属性は、コンテンツ情報とともに受信される。また、コンテンツ情報は、受信された動画像情報も含まれる。
サービス１７は、情報処理装置１００がネットワーク接続装置２４によりネットワーク接続されている場合に、得られた情報を記憶する装置である。
【００３７】
ＧＰＳ１８は、情報処理装置１００の現在位置に関する情報を探索する装置である。
センサ２０は、情報処理装置１００の前面のリモコン使用可能領域に人がいるか否か、距離はどのくらいかを判断する。
リモコン受信部２１は、図には示されていないリモコンとの間でチャンネル切り替えや音量調節等の制御信号や応答信号を授受する。
【００３８】
入力手段２２は、例えば、電源ボタン、チャンネル切り替えボタン、音量ボタン、もしくは入力切換ボタンである。
カメラ２３は、情報処理装置１００の前面で図には示されていないリモコンを操作するユーザを認識するため撮影し、電気信号に変換する機能を有する。これは、ユーザが複数存在する場合にユーザ毎に顔を認識し、嗜好情報を紐づけるのに利用される。
ネットワーク接続部２４は、図示しないネットワークと接続する機能を有する。
【００３９】
図２は、図１に示した情報処理装置１００に用いられるソフトウエアの構成図の一例である。ユーザの行動３１やユーザの状態３２がＴＰＯ（time position occasion：時、所、場合）に応じて分析し、嗜好情報としてパーソナルＤＢ（データベース）１６に記憶される。パーソナルＤＢ１６には例えばＨＤＤ（ハードディスクドライブ）が用いられる。
【００４０】
ＴＰＯは、ユーザが誰であるかに加え、ユーザの行動３１及びユーザの状態３２を含む。ユーザの行動３１としては、例えば、ＴＶ／録画コンテンツ、ＳＮＳ／Ｔｗｉｔｔｅｒ（登録商標、以下略）、メール／ブラウザ、検索、スケジューラ、及びショッピング等が挙げられる。
ＴＶ／録画コンテンツは、放送時間、チャンネル、番組名、ジャンル、出演者名、録画時間、及び録画モード等を意味する。
【００４１】
ＴＶ操作ログは、ＴＶ視聴時間の習慣性、視聴のみか録画まで行うかによる番組興味度の重み付けに利用する。
ＴＶメタ・字幕・データ放送は、電子番組表(ＥＰＧ)が持つ番組名・出演者等の情報、また、テレビ番組で紹介された商品や店舗等の情報を集計している企業から入手できるメタデータ、データ放送の字幕情報等、視聴番組のタグ情報（ユーザの記憶）として捉え、興味のあるキーワードとして蓄える。
【００４２】
ＳＮＳは、ソーシャルネットワーキングサービスの略語であり、人と人とのつながりを促進・サポートするＷｅｂサイトである。友人・知人間のコミュニケーションを円滑にする手段や場を提供したり、趣味や嗜好、居住地域、出身校等を通じて新たな人間関係を提供したりする、会員制のサービスである。Ｔｗｉｔｔｅｒは、１４０文字以内の「ツイート」と称される短文を投稿できる情報サービスで、ツイッター社によって提供されている。
【００４３】
ＳＮＳやＴｗｉｔｔｅｒで話題からキーワードを分析することでユーザの嗜好情報を得ることができる。
いいね、ブックマーク、キーワードは、「いいね」「ブックマーク」を行ったＷｅｂページの記事やツイッターの文章、また、検索キーワードはもとよりＷｅｂ閲覧記事、メールの文章などから文脈分析し、興味対象キーワードとして抽出する。例えば、「サッカー＆ＡＢミラン＆本○圭□」のようなキーワードの関係性も興味対象とする。
【００４４】
メールは、ユーザが他者との間で情報を授受するものであり、メールを分析すればユーザの嗜好情報を得ることができる。
ブラウザは、インターネット上の情報を探し出し表示するためのソフトウエアであり、例えば、インターネット・エクスプローラーが挙げられる。ブラウザをユーザが利用するときのキーワードを分析すれば嗜好情報が得られる。
【００４５】
検索は、キーワードを使ってユーザが知りたい情報を得るので、キーワードからユーザの嗜好情報が得られる。
スケジューラは、個人のスケジュールを管理するソフトウエアであり、スケジュールのキーワードからユーザの嗜好情報を得ることができる。
【００４６】
ショッピングは、ユーザがいつ、どのような商品を、いくつ購入したか履歴に残るので、ユーザの嗜好情報を得ることができる。
キャッシュ動画は、Ｗｅｂ動画視聴時に一時的にＰＣのキャッシュに保存される情報をキーワードとして抽出する。
【００４７】
一方、ユーザの状態３２としては、位置、移動検知手段、表情（集中度）、及び感情状態が挙げられる。
位置は、ユーザが情報処理装置１００を使用しているときの位置であり、情報処理装置１００のＧＰＳ１８よりユーザが情報処理装置１００を利用しているときの位置情報を把握することができる。
【００４８】
移動検知手段は、例えば、ユーザが電車で移動している状態か、自動車で移動している状態か、もしくは徒歩で移動している状態かを把握する手段であり、例えば加速度センサや振動センサ等のセンサが挙げられる。この移動検知手段はユーザがスマートホンをリモコンとして利用する場合に用いられる。
【００４９】
表情（集中度）は、ユーザの表情が硬いか柔らかい、もしくはユーザが画面の特定箇所を凝視しているか、退屈しているか、居眠りしているか等を画像認識処理により判断するものである。
【００５０】
感情状態は、ユーザが喜怒哀楽、無表情（真顔）のいずれを示しているか等を画像認識処理により判断するものである。
視聴態度は、ＴＶ・Ｗｅｂ動画等のコンテンツを、どの程度興味深く観ていたか、ユーザの顔の向きや視線等の検出頻度から視聴コンテンツに対する重み付けする。
【００５１】
次に、習慣情報について説明する。習慣情報は少なくとも特定されたユーザの操作に応じた処理の内容と処理の実行時刻であり、パーソナルＤＢ１６に蓄積される。
習慣情報は、例えば、分析対象となる行動情報から以下のようにして分析を行う。テレビの電源がＯＮされる曜日、時間帯にいつも共通要素を有するコンテンツ情報を画面出力しているかを対象にする。
また、同じシリーズのＴＶ番組などを見ているかを対象にする。さらに、録画や録画されたコンテンツ情報の削除もユーザの操作に応じた処理に含まれる。
【００５２】
電源ＯＮそのものの動作ではなく、電源ＯＮされている時間帯に何をしていたかが対象になる。例えば、平日の７:００−７:５０に「目ざましテレビ」を視聴している場合は、たとえ一番組の一部であっても習慣性のある番組として捉える。
【００５３】
また、同じシリーズでなくとも、２１:００−２２:００に録画されたドラマ、若しくはライブのドラマを観ていることが対象となる。２２:００−２３:００にチャンネルは時折異なるがニュースを観ている等も対象となる。
【００５４】
パーソナルＤＢ１６に記憶されたデータは、必要に応じてリコメンドエンジン３４に送られる。リコメンドエンジン３４はユーザに必要と判断されるデータを提供するためのソフトウエアであり、サービス１７に接続されている。リコメンドエンジン３４はサービス１７との間で、サーチクエリとサーチリザルトとを行い、嗜好情報に基づいて選択されたコンテンツ情報について、習慣情報に基づいて所定の時刻に所定の処理を実行することを推薦する。
【００５５】
リコメンドエンジン３４は重要キーワードを抽出する重要キーワード抽出部３５と、ユーザランキングによる絞り込みを行う絞り込み部３６とを有する。重要キーワードは、ユーザ毎に異なる興味や関心の高いキーワードであり、頻出度の高い固有名詞（例えば、人名、キャラクタ名、曲名、番組名、国名、都市名、地名、競技名、ゲーム名等）が挙げられる。ユーザランキングは、統計数学的処理を施してユーザ毎に抽出されたキーワードを頻度順にランク付けをしたものである。絞り込みとは、ランク付けされたキーワードを上位から所定の順位まで選択して絞り込んだものをすぐに提供できるように確保しておくことである。
【００５６】
嗜好情報と習慣情報を用いて、ユーザに提供する提供内容（画面や音声での出力内容）を決定する。後述する図７には、マイチャンネル番組表のように過去と未来の視聴番組候補を見せるという方法に基本的な考え方が示されている。
【００５７】
電源ＯＮ時の最初の画面は、習慣性行動のコンテンツ情報、例えば、いつもドラマを観ている時間帯２１:００−２２:００には、その時の配点が高い推薦番組の上位から選択肢をいくつか用意し、または、いつものＷｅｂニュース等を用意する。
更には、その時の番組選択行動やＷｅｂ記事内容等のように、変化するユーザの現在の状況に基づき、番組の推薦対象を抽出する。
【００５８】
リコメンド結果３７は、ユーザに推薦すべきであると判断した場合にユーザに提供されるコンテンツ情報であり、例えばユーザの好みのタレント、歌手、嗜好品、スポーツ、旅行等に関するイベント、放送番組、グッズ等の情報が挙げられる。
【００５９】
図３は、情報処理装置１００の動作を示すフローチャートの一例である。動作の主体は受信制御部１９である。
まず、収集手段１９ｃ（図１参照）によりユーザの嗜好情報の収集を行い（ステップＳ１）、分析手段１９ｆにより嗜好情報の分析を行い（ステップＳ２）、嗜好情報に関連する情報の検索を検索手段１９ｅにより行う（ステップＳ３）。
【００６０】
検索した情報をパーソナルＤＢ１６に蓄積する（ステップＳ４）。
収集手段１９ｃ（図１参照）によりユーザの習慣情報の収集を行い（ステップＳ５）、収集した情報をパーソナルＤＢ１６に蓄積する（ステップＳ６）。
【００６１】
蓄積した情報をユーザ毎に分類する（ステップＳ７）。リモコン使用者としてのユーザの確認を行う。これは、情報処理装置１００の前面にいる人がどのユーザであるかを確認する動作であり、公知の顔認識処理方法が用いられる（ステップＳ８）。
情報処理装置１００は、ユーザに対応した画面、すなわちユーザにふさわしいコンテンツ及びサイドメニューを表示する（ステップＳ９）。
【００６２】
図４は、情報処理装置１００に表示される画面及びリモコン４０の一例である。
情報処理装置１００は、リビングルーム等の床上もしくはテレビ台の上に載置して視聴することを前提としており、画面サイズは、例えば２９型以上としている。リモコン４０のサイズは手のひらサイズであるが、情報処理装置１００と比較して拡大表示されている。
【００６３】
情報処理装置１００は、電源が投入されると、カメラ２３を用いてユーザを確認し、ユーザ好みの画面（例えば、録画した番組「アングリー」）を表示する。尚、カメラ２３は図では情報処理装置１００の表示部１５（図１参照）を支持する支柱に設けられているが、本発明はこれに限定されるものではなく、表示部１５の周辺に設けてもよい。
【００６４】
画面１０３は、表示部１５の画面としての放送番組やウエブコンテンツを表示するためのメイン画面１０１と、サイドメニュー１０２と、を有する。メイン画面１０１中のアイコン１０４は、録画した放送番組が停止中であること意味し、リモコン４０の操作により図示しないカーソルを当てて、ボタン操作することができる。
【００６５】
サイドメニュー１０２のうちの第一のサイドメニュー１０２ａは、ユーザの過去のライフログをビジュアル表示、検索するためのサイドメニューである。第二のサイドメニュー１０２ｂは、ショッピングサイトと連携してユーザの嗜好に応じた商品をネットショッピングするためのサイドメニューである。第三のサイドメニュー１０２ｃは、ユーザの嗜好に応じて収集したコンテンツ毎にまとめたチャンネルである。
【００６６】
図５は、図１に示した情報処理装置１００におけるパーソナルチャンネルの整列前の概念図である。
サイドメニュー１０２のうちのパーソナルチャンネル（図４ではＰｅｒｓｎａｌ  Ｖｉｅｗｅｒ）のサイドメニュー１０２ｃをリモコン４０の操作により選択すると、図５に示すようにメイン画面１０１の画像がサイドメニュー１０２ｃに移動すると共に、メイン画面１０１にパーソナルチャンネルの画像が表示される。
【００６７】
図５の右上はユーザの視聴履歴に基づいて情報処理装置１００が作成したパーソナルチャンネルの一例であり、「○井  理」のパーソナルチャンネルがメイン画面１０１に表示されている。図５の左下にはメイン画面１０１、及びサイドメニューが表示され、メイン画面１０１及びサイドメニューの周囲にはユーザが視聴した放送番組の一シーンが配置されたイメージが記載されている。
【００６８】
図６は、図５に示したメイン画面１０１の整列後の拡大図である。
メイン画面１０１には、例えば、左側縦方向に見出し１０１ａ、中央上部にメインフレームＴＶ放送１０１ｂ、右側上部にサブフレーム１０１ｃ、メインフレームＴＶ放送１０１ｂの下側にはお気に入りのフレーム（図６ではＦａｖｏｒｉｔｅ）１０１ｄ、お気に入り１０１ｄの下側にはお気に入りのフレーム１０１ｄに関連する商品枠１０１ｅ、サブフレーム１０１ｃの下側には前回の録画番組１０１ｆ、及び動画サイト１０１ｇに区分けされて一覧表示される。各フレームを整列配置することによりユーザにとって観やすくなる。
【００６９】
図７は、パーソナルチャンネルのサイドメニュー１０２ｃに関連するマイチャンネル番組表の一例である。
過去の視聴、推薦、録画履歴と現在、未来の視聴、推薦、録画番組を利用シーン別でＵＩ（User Interface）で表示したものであり、（１）番組表、（２）番組ガイド、（３）テレビ予定表（不要な番組を除く）を有する。
【００７０】
（１）番組表において、ユーザの嗜好（例えば、○井  理出演）にあった番組が推薦番組としてハイライトされている。
（２）番組ガイドにおいて、ドラマは一般ランキングと推薦番組が曜日別に比較しやすく表示されている。見るだけでも楽しめる番組ガイドである。
（３）テレビ予定表において、予定として視聴、録画予定と推薦番組を表示し、履歴として、視聴、録画履歴を表示する。全く見ないチャンネルの非表示も選択可能である。また、録画済み番組（例、１７時「Ｍスタ」と視聴、録画番組候補（例、２１時「ウィンターレスキュー」））が表示されている。
削除ナビとして、鮮度の低くなった録画番組をＢＤ（ブルーレイ・ディスク：登録商標）に保存、圧縮、削除候補として表示する容量確保ナビ機能がある。
【００７１】
図７の（２）に示すように一般ランキング（予約ランク）の一覧表と、当日予約Ｎｏ．１と、ユーザに合ったおすすめ番組（ユーザの２番目にお気に入りの「○栗  旬」）が出演している旨が表示されている。ユーザはこれらの表示を参考にして見たい番組を容易に探すことができる。
【００７２】
図８は、図７に示した番組ガイドの拡大図である。
同図に示す番組ガイドは、見るだけでも楽しめることを目的としたものであり、推薦番組と注目番組（『一般ランキング抽出番組』−『興味のない番組』）を紹介するものである。この番組ガイドは、一般ランキング（予約ランク）とユーザ嗜好ランキングを、レベルを調整して見やすく表示されている。また、カテゴリー別（ドラマ、アニメ、バラエティー、スポーツ、音楽等）に見やすく表示されている。図中の星印は一般ランキングにおける注目度を表しており、星の数が多いほど人気が高いことを表す。
【００７３】
図９は、パーソナルチャンネルにおける画面遷移を示す図である。
メイン画面１０１の遷移画面１０１−１は、「○井  理チャンネル」のうち、最新録画番組をフル画面再生している状態を示す図である。遷移画面１０１−２は、「○井  理チャンネル」のうち、お気に入り番組やウエブコンテンツを拡大表示したものである。遷移画面１０１−３は、「○井  理チャンネル」のうち、関連商品の一覧をフル画面表示した図である。これらは、「ママゾン」、「楽夫」等のショッピングサイトを示している。
【００７４】
遷移画面１０１−４は、「○井  理チャンネル」のうち、未閲覧の出演録画番組とサムネイルとを示した図である。遷移画面１０１−５は、「○井  理チャンネル」のうち、前回の録画番組と１話目、２話目、及び３話目のサムネイルを示した図である。遷移画面１０１−６は、「○井  理チャンネル」のうち、「スカハー」や「Ｖｏｕｓ  Ｔｕｂｅ」等の動画サイトを示す図である。
これらの遷移画面１０１−１〜１０１−５はリモコン４０の操作により切り替えられるようになっている。
【００７５】
図１０は、パーソナルチャンネルの拡大図である。
ユーザの予約録画やウエブコンテンツの録画が目的（キーワード）に応じて抽出されたチャンネル（メニュー）である。キーワードは、ユーザ嗜好ランキングから自動抽出または任意抽出される。
「○井  理」、「○之内  豊」、「○栗  旬」チャンネル等ユーザの趣味、嗜好に紐づいたチャンネルが作成され、ユーザの興味をそそる番組や動画であふれている。
各種コンテンツは、ユーザが好きなジャンル、キーワード毎にチャンネル作成が可能である（俳優等）。
【００７６】
嗜好指標、行動パターン、鮮度に基づき絞り込まれた動画情報（録画番組、動画サイト）が提供される。例えば、ドラマ「ウィンターレスキュー」等「○井  理」出演番組をよく見ている「○井  理」が出演している番組チャンネルが自動作成される。関連する商品の広告として、「○井  理」出演の映画ＢＤ、写真集やドラマ「ウィンターレスキュー」の舞台背景に関連する山がある特集の雑誌を表示する。
【００７７】
本発明によれば、電源ＯＮ時の画面から、ユーザの見たいコンテンツ情報の一覧を、放送番組、録画番組、Ｗｅｂコンテンツの区分けなく表示することができる。
これにより、コンテンツ情報の種類選択といった操作を必要とせず、見たいコンテンツをすぐに選択して視聴できるようにする。つまり、ユーザがただコンテンツの内容だけに考えを集中できるようにし、使用感をより向上させることができる。
【００７８】
以上で説明した本発明に係る情報処理装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行う。
【００７９】
例えば、
ユーザの操作に応じてコンテンツ情報の表示手段への表示を含む処理を実行可能なプログラムであって、
少なくとも第１の経路または第２の経路から所定の属性を有するコンテンツを取得可能な手順と、
取得される複数の前記コンテンツから、該コンテンツの属性に対するユーザの興味度に応じてコンテンツを選択する手順と、
選択された前記コンテンツの一覧を、前記第１の経路から取得されたコンテンツと前記第２の経路から取得されたコンテンツとが同一画面に配置されるように、表示装置に表示する手順と、
をコンピュータに実行させるためのプログラムが挙げられる。
【００８０】
これにより、プログラムが実行可能なコンピュータ環境さえあれば、どこにおいても本発明に係る情報処理装置を実現することができる。
このようなプログラムは、コンピュータに読み取り可能な記憶媒体に記憶されていてもよい。
【００８１】
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【００８２】
ＣＤ−ＲＯＭは、Compact Disc Read Only Memoryの略である。フレキシブルディスクは、Flexible Disk：ＦＤを意味する。ＣＤ−Ｒは、CD Recordableの略である。ＲＡＭは、Random-Access Memoryの略である。ＲＯＭは、Read-Only Memoryの略である。ＦｅＲＡＭは、Ferroelectric RAMの略で、強誘電体メモリを意味する。ＨＤＤは、Hard Disc Driveの略である。
【００８３】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００８４】
１１    受信部（チューナ）
１２    ストリーム分離部（ＤＥＭＵＸ）
１３    映像デコード部
１４    表示処理部（スケーラ）
１５    表示部（モニタ）
１６    パーソナルＤＢ
１７    サービス
１８    ＧＰＳ（汎地球測位システム）
１９    受信制御部
１９ａ    抽出手段
１９ｂ    絞り込み手段
１９ｃ    収集手段
１９ｄ    画像処理手段
１９ｅ    検索手段
１９ｆ    分析手段
１９ｇ    ユーザ識別手段
１９ｈ    コンテンツ一覧表示手段
１９ｉ    キーワード抽出手段
２０    センサ
２１    リモコン受信部
２２    入力手段
２３    カメラ
２４    ネットワーク接続部
３１    ユーザの行動
３２    ユーザの状態
３４    リコメンドエンジン
３５    重要キーワード抽出部
３６    絞り込み部
３７    リコメンド結果
４０    リモコン
１００    情報処理装置（テレビジョン受像器）
１０１    メイン画面
１０２    サイドメニュー
１０３    画面
【図１】
2016086342.tif 000003
【図２】
2016086342.tif 000004
【図３】
2016086342.tif 000005
【図４】
2016086342.tif 000006
【図５】
2016086342.tif 000007
【図６】
2016086342.tif 000008
【図７】
2016086342.tif 000009
【図８】
2016086342.tif 000010
【図９】
2016086342.tif 000011
【図１０】
2016086342.tif 000012